(57)【要約】【課題】充電異常状態が充電回路に起因して生じた場合であっても、二次電池や電池保護回路自体の破損を防止することができる電池保護回路を得ること。【解決手段】電池セル２を保護する電池保護回路３であって、電池セルから外部端子４に至る充放電経路６に挿入されたスイッチ回路１２と、外部端子に接続された充電回路により二次電池を充電する充電時において、充電が正常状態で行われているか充電異常状態が生じているかを検出する充電異常検出部１３、１４と、充電異常検出部からの入力信号が正常状態を示しているときはスイッチ回路を通電状態に制御し、異常状態を示しているときは非通電状態に制御するスイッチ制御部１１と、充電回路の状態を確認可能な充電回路確認部１８とを備え、スイッチ制御部は、充電回路確認部からの入力信号が充電再開可能とするものではない場合には、復帰条件を満たした場合であっても復帰操作を行わない。【選択図】図１
2015173568.tif 000002
【特許請求の範囲】
【請求項１】
単数または複数の二次電池が接続された電池セルと共に用いられ、前記電池セルを保護する電池保護回路であって、
前記電池セルから外部端子に至る充放電経路に挿入されたスイッチ回路と、
前記外部端子に接続された充電回路により前記二次電池を充電する充電時において、充電が正常状態で行われているか充電異常状態が生じているかを検出する充電異常検出部と、
前記充電異常検出部からの入力信号が正常状態を示しているときは前記スイッチ回路を通電状態に制御し、前記充電異常検出部からの入力信号が異常状態を示しているときは前記スイッチ回路を非通電状態に制御するスイッチ制御部と、
前記充電回路の状態を確認可能な充電回路確認部とを備え、
前記スイッチ制御部は、前記スイッチ回路を非通電状態に制御した後、前記充電回路確認部からの入力信号が充電再開可能とするものではない場合には、復帰条件を満たした場合であっても前記スイッチ回路を通電状態に復帰させる復帰操作を行わないことを特徴とする電池保護回路。
【請求項２】
前記充電回路確認部が、前記スイッチ回路と前記外部端子との間の外部電圧を検出する外部電圧検出部であり、
前記外部電圧検出部は、前記外部電圧が充電時に印加可能な最大充電電圧値以下である場合に充電再開可能と判断する請求項１に記載の電池保護回路。
【請求項３】
前記充電回路確認部が、前記スイッチ回路と前記外部端子との間の外部電圧を検出する外部電圧検出部であり、
前記外部電圧検出部は、前記外部電圧が０である場合に、前記外部端子に前記充電回路が接続されていない状態であるとして充電再開可能と判断する請求項１に記載の電池保護回路。
【請求項４】
前記充電回路確認部が、前記外部端子に外部機器が接続されているか否かを判断可能な環境検出部であり、
前記環境検出部は、前記外部端子に充電回路が接続されていない場合に充電再開可能と判断する請求項１に記載の電池保護回路。
【請求項５】
前記充電異常検出部が、前記二次電池の電圧を検出する電池電圧検出部であり、
前記スイッチ制御部は、前記電池電圧検出部が前記二次電池の電圧が制限電圧値を超えたことを検出した際に前記スイッチ回路を非通電状態とし、前記電池電圧検出部が前記二次電池の電圧が充電再開電圧値よりも下がったことを検出した際に前記スイッチ回路を通電状態に復帰させる復帰条件を満たしたと判断する請求項１〜４のいずれかに記載の電池保護回路。
【請求項６】
前記充電異常検出部が、前記二次電池に流れる電流を検出する電流検出部であり、
前記スイッチ制御部は、前記電流検出部が前記二次電池に流れる電流が制限電流値を超えたことを検出した際に前記スイッチ回路を非通電状態とし、前記スイッチ回路を非通電状態とした後に前記電流検出部が前記二次電池に流れる電流が停止していることを検出した際に前記スイッチ回路を通電状態に復帰させる復帰条件を満たしたと判断する請求項１〜４のいずれかに記載の電池保護回路。
【請求項７】
前記充電異常検出部として、前記二次電池の電圧を検出する電池電圧検出部と、前記二次電池に流れる電流を検出する電流検出部とを備え、
前記スイッチ制御部は、前記電池電圧検出部が前記二次電池の電圧が制限電圧値を超えたことを検出した際、および、前記電流検出部が前記二次電池に流れる電流が制限電流値を超えたことを検出した際の少なくともいずれか一方の場合に、前記スイッチ回路を非通電状態とし、前記電池電圧検出部が前記二次電池の電圧が充電再開電圧値よりも下がったことを検出し、かつ、前記スイッチ回路を非通電状態とした後に前記電流検出部が前記二次電池に流れる電流が停止していることを検出した際に、前記スイッチ回路を通電状態に復帰させる復帰条件を満たしたと判断する請求項１〜４のいずれかに記載の電池保護回路。
【請求項８】
単数または複数の二次電池が接続された電池セルと、
請求項１〜７のいずれかに記載の電池保護回路とを備えたことを特徴とする電池パック。
【発明の詳細な説明】
【技術分野】
【０００１】
本開示は、リチウムイオン電池などの二次電池を保護する電池保護回路、ならびにこの電池保護回路と電池セルとを備えた電池パックに関し、特に、二次電池の充電時に異常を検知したときに二次電池を保護する電池保護回路およびこれを備えた電池パックに関する。
【背景技術】
【０００２】
電池パックは、一又は複数の二次電池が内蔵されていて、これらの二次電池の電極端子を直列または並列に接続した正極および負極に、それぞれ接続された外部端子を備えている。この外部端子間に所定の充電回路が接続されることで、電池パックの充電が行われる。また、充電された電池パックの外部端子間に負荷が接続された場合には、電池パックは所定の電圧値での放電を行い負荷回路の電源となる。
【０００３】
このような電池パックは、過充電あるいは過放電等の異常状態から二次電池を保護するために、異常状態が発生したときには充電および放電を停止する制御が可能な電池保護回路を備えている。電池保護回路は、外部端子と二次電池の電極との間の充放電経路にこれを切断可能なスイッチ回路を介在させて、過充電あるいは過放電などの状態異常を検出したときにスイッチ制御部がスイッチ回路を遮断する制御を行うように構成される。また、電池保護回路が対処すべき異常状態として、過充電あるいは過放電に留まらず、例えば電池パック内の異常な温度上昇等にも対応できるように、電池パック内の温度を監視する温度センサを備え、電池パック内の温度異常を検出した場合にもスイッチ制御部がスイッチ回路を遮断する制御を行う等、種々の異常に対処することができる電池保護回路が実用化されている。
【０００４】
電池パックを構成する二次電池の過充電や過放電を防止する電池保護回路として、二次電池の電極と外部端子との間に配置された充電保護用スイッチと放電保護用スイッチとしての２つのＦＥＴと、これら２つのＦＥＴを動作させる監視ＩＣとを備えたものが提案されている（特許文献１参照）。特許文献１に記載の電池保護回路において、監視ＩＣは、充電保護用スイッチ（ＦＥＴ）のＯＮ／ＯＦＦ状態に応じて、短絡電流が流れていると判断する電極端子間の電圧レベルの判断基準を異ならせて放電保護用スイッチ（ＦＥＴ）をＯＦＦするため、適切な安全性を確保しながら二次電池から負荷回路への効率のよい電力供給を行うことができる。
【０００５】
また、二次電池の過充電保護を行う充電装置として、充電完了時から所定時間経過後の二次電池電圧を基準電池電圧に設定し、実際の二次電池電圧がこの基準電池電圧から所定の電位差以上低下した場合に充電を再開するものが提案されている（特許文献２参照）。特許文献２に記載の充電装置では、二次電池毎の充放電特性のばらつきに対応させて、二次電池を過充電することなく常に満充電に近い状態に保持することができる。
【先行技術文献】
【特許文献】
【０００６】
【特許文献１】特開２０１１−０３０２８３号公報
【特許文献２】特開２０００−０２３３８４号公報
【発明の概要】
【発明が解決しようとする課題】
【０００７】
上記特許文献１および特許文献２に開示されているように、従来の電池保護回路は、二次電池の充電時に二次電池の電圧が所定範囲より高くなる過充電電圧状態や、二次電池の充電時に流れる充電電流が所定範囲より大きくなる過充電電流状態を検知した場合に、二次電池の電極と外部端子との間の充電経路をスイッチ回路によって遮断して充電動作を停止させ、二次電池を保護するものである。
【０００８】
このような二次電池の充電時に生じる充電異常状態から二次電池を保護する電池保護回路では、充電保護スイッチを切断状態として充電動作を停止させた後に、二次電池の電池電圧が所定の範囲内まで低下した場合や、過大な充電電流が流れなくなった場合には、充電異常状態が解消されたと判断する。そして、充電異常状態が解消されたと判断した場合には、充電保護スイッチを接続状態へと戻して遮断されていた二次電池の電極と外部端子との間の充電経路の電気的接続を再度接続する復帰操作が行われ、二次電池は再び充電可能な状態となる。特に、引用文献２に記載の発明では、この再充電可能な状態を繰り返し実現することで、二次電池の充電電圧を常に満充電状態に近い状態で維持することを積極的な目的としている。
【０００９】
しかし、二次電池を充電する充電回路に異常がある場合、また、本来接続されるべきではない二次電池の仕様に合致していない充電回路が誤って接続されている場合などでは、二次電池への充電が再開されるとすぐに、再び充電異常状態となってしまう可能性が高い。このようにして、充電異常状態が繰り返されると、二次電池の破損やスイッチ回路をはじめとする電池保護回路の破損に繋がって、最悪の場合には二次電池から発火するなどの深刻な事態を引き起こしかねない。
【００１０】
本開示は、上記従来の課題を解決し、充電異常状態が充電回路に起因して生じた場合であっても、二次電池や電池保護回路自体の破損を防止することができる電池保護回路、さらに、このような電池保護回路を二次電池と共に備えた安全性の高い電池パックを得ることを目的とする。
【課題を解決するための手段】
【００１１】
上記課題を解決するため本願で開示する電池保護回路は、単数または複数の二次電池が接続された電池セルと共に用いられ、前記電池セルを保護する電池保護回路であって、前記電池セルから外部端子に至る充放電経路に挿入されたスイッチ回路と、前記外部端子に接続された充電回路により前記二次電池を充電する充電時において、充電が正常状態で行われているか充電異常状態が生じているかを検出する充電異常検出部と、前記充電異常検出部からの入力信号が正常状態を示しているときは前記スイッチ回路を通電状態に制御し、前記充電異常検出部からの入力信号が異常状態を示しているときは前記スイッチ回路を非通電状態に制御するスイッチ制御部と、前記充電回路の状態を確認可能な充電回路確認部とを備え、前記スイッチ制御部は、前記スイッチ回路を非通電状態に制御した後、前記充電回路確認部からの入力信号が充電再開可能とするものではない場合には、復帰条件を満たした場合であっても前記スイッチ回路を通電状態に復帰させる復帰操作を行わないことを特徴とする。
【００１２】
また、本願で開示する電池パックは、単数または複数の二次電池が接続された電池セルと、本願で開示する電池保護回路とを備えたことを特徴とする。
【発明の効果】
【００１３】
本願で開示する電池保護回路は、充電異常状態が検出された際にスイッチ回路を非通電状態にした後、スイッチ制御部は、充電異常状態が解消されて復帰条件を満たした場合であっても、充電回路確認部からの入力信号が充電再開可能とするものではない場合には、スイッチ回路を通電状態に復帰させる復帰操作を行わない。このため、充電回路側に異常の原因がある場合に繰り返し充電動作を行って充電異常状態を引き起こしてしまうことを回避し、二次電池や電池保護回路の確実な保護を行うことができる。
【００１４】
また、本願で開示する電池パックは、電池セルと本願で開示する電池保護回路とを備え、充電回路側に起因する充電異常状態の繰り返しを回避できる安全性の高いものとなる。
【図面の簡単な説明】
【００１５】
【図１】本実施形態にかかる電池保護回路とこの電池保護回路を備えた電池パックの構成を示すブロック図である。
【図２】過充電電圧となる充電異常状態が生じた場合の、本実施形態にかかる電池保護回路の動作を説明するフローチャートである。
【図３】過充電電流となる充電異常状態が生じた場合の、本実施形態にかかる電池保護回路の動作を説明するフローチャートである。
【図４】充電回路確認部により充電回路が接続されていないことが検出された際に充電再開可能と判断される場合の、本実施形態にかかる電池保護回路の動作を説明するフローチャートである。
【発明を実施するための形態】
【００１６】
本開示の電池保護回路は、単数または複数の二次電池が接続された電池セルと共に用いられ、前記電池セルを保護する電池保護回路であって、前記電池セルから外部端子に至る充放電経路に挿入されたスイッチ回路と、前記外部端子に接続された充電回路により前記二次電池を充電する充電時において、充電が正常状態で行われているか充電異常状態が生じているかを検出する充電異常検出部と、前記充電異常検出部からの入力信号が正常状態を示しているときは前記スイッチ回路を通電状態に制御し、前記充電異常検出部からの入力信号が異常状態を示しているときは前記スイッチ回路を非通電状態に制御するスイッチ制御部と、前記充電回路の状態を確認可能な充電回路確認部とを備え、前記スイッチ制御部は、前記スイッチ回路を非通電状態に制御した後、前記充電回路確認部からの入力信号が充電再開可能とするものではない場合には、復帰条件を満たした場合であっても前記スイッチ回路を通電状態に復帰させる復帰操作を行わない。
【００１７】
本開示の電池保護回路は、スイッチ制御部がスイッチ回路を非通電状態に制御した後、充電異常状態が解消されて復帰条件を満たした場合であっても、充電回路の状態を確認する充電回路確認部からの入力信号が充電再開可能とするものではない場合には、スイッチ制御部はスイッチ回路を通電状態に復帰させる復帰操作を行わない。このため、充電回路側に起因して充電異常状態が生じている場合に、繰り返して充電動作を行ってしまうことを回避でき、充電異常状態が繰り返されることによる電池セルや電池保護回路自体の破損を防止することができる、安全性の高い電池保護回路を実現することができる。
【００１８】
上記本開示の電池保護回路において、前記充電回路確認部が、前記スイッチ回路と前記外部端子との間の外部電圧を検出する外部電圧検出部であり、前記外部電圧検出部は、前記外部電圧が充電時に印加可能な最大充電電圧値以下である場合に充電再開可能と判断することが好ましい。このようにすることで、充電回路に起因して生じる過充電電圧状態から、電池セルや電池保護回路を保護することができる。
【００１９】
また、本開示の電池保護回路において、前記充電回路確認部が、前記スイッチ回路と前記外部端子との間の外部電圧を検出する外部電圧検出部であり、前記外部電圧検出部は、前記外部電圧が０である場合に、前記外部端子に前記充電回路が接続されていない状態であるとして充電再開可能と判断することが好ましい。このようにすることで、充電回路に起因して生じる過充電電流状態から、電池セルや電池保護回路を保護することができる。
【００２０】
さらに、本開示の電池保護回路において、前記充電回路確認部が、前記外部端子に外部機器が接続されているか否かを判断可能な環境検出部であり、前記環境検出部は、前記外部端子に充電回路が接続されていない場合に充電再開可能と判断することが好ましい。このようにすることで、充電異常状態を生じさせた充電回路が取り外されたことを検出して、電池パックを再充電可能状態な状態にすることができる。
【００２１】
また、前記充電異常検出部が、前記二次電池の電圧を検出する電池電圧検出部であり、前記スイッチ制御部は、前記電池電圧検出部が前記二次電池の電圧が制限電圧値を超えたことを検出した際に前記スイッチ回路を非通電状態とし、前記電池電圧検出部が前記二次電池の電圧が充電再開電圧値よりも下がったことを検出した際に前記スイッチ回路を通電状態に復帰させる復帰条件を満たしたと判断することが好ましい。このようにすることで、過充電電圧時の保護と復帰操作とを良好に行うことができる。
【００２２】
さらに、前記充電異常検出部が、前記二次電池に流れる電流を検出する電流検出部であり、前記スイッチ制御部は、前記電流検出部が前記二次電池に流れる電流が制限電流値を超えたことを検出した際に前記スイッチ回路を非通電状態とし、前記スイッチ回路を非通電状態とした後に前記電流検出部が前記二次電池に流れる電流が停止していることを検出した際に前記スイッチ回路を通電状態に復帰させる復帰条件を満たしたと判断することが好ましい。このようにすることで、過充電電流時の保護と、復帰操作とを良好に行うことができる。
【００２３】
さらにまた、前記充電異常検出部として、前記二次電池の電圧を検出する電池電圧検出部と、前記二次電池に流れる電流を検出する電流検出部とを備え、前記スイッチ制御部は、前記電池電圧検出部が前記二次電池の電圧が制限電圧値を超えたことを検出した際、および、前記電流検出部が前記二次電池に流れる電流が制限電流値を超えたことを検出した際の少なくともいずれか一方の場合に、前記スイッチ回路を非通電状態とし、前記電池電圧検出部が前記二次電池の電圧が充電再開電圧値よりも下がったことを検出し、かつ、前記スイッチ回路を非通電状態とした後に前記電流検出部が前記二次電池に流れる電流が停止していることを検出した際に、前記スイッチ回路を通電状態に復帰させる復帰条件を満たしたと判断することが好ましい。このようにすることで、過充電電圧状態と過充電電流状態との双方の場合に対して保護と、復帰操作とを良好に行うことができる。
【００２４】
また、本開示の電池パックは、単数または複数の二次電池が接続された電池セルと、上記本願で開示する電池保護回路とを備えることを特徴とする。
【００２５】
このようにすることで、上記した本願にかかる電池保護回路の特徴を活かして、充電回路側に起因して充電異常状態が生じている場合に、繰り返して充電動作を行ってしまうことを回避でき、充電異常状態が繰り返されることによる電池セルや電池保護回路自体の破損を防止することができる、安全性の高い電池パックを実現することができる。
【００２６】
以下、本開示の電池保護回路、および、この電池保護回路を備えた電池パックの実施の形態について、図面を参照しながら具体的に説明する。なお、以下の説明に用いられるブロック図において、それぞれの回路ブロックは所定の機能を果たすひとまとまりものとして表示されていて、これらの回路ブロックは物理的な電気回路自体に直接対応してこれを指し示すものではない。このため以下の各図の説明は、一つのブロックが複数の回路基板に分けて構成される場合や、複数のブロックが一つの電気回路素子に搭載される場合を妨げるものではない。
【００２７】
（実施の形態）
図１は、本開示にかかる電池保護回路を備えた、本開示にかかる電池パックの実施形態としての構成を示すブロック図である。
【００２８】
図１に示すように、本実施形態にかかる電池パック１は、例えば、リチウムイオン電池等の二次電池を単数もしくは複数個直列に接続して構成された電池セル２と、この電池セル２を保護する電池保護回路３とを備えている。
【００２９】
電池セル２の正極（＋電極）端子には電池パック１の正（＋）の外部端子４が、また、電池セル２の負極（−電極）端子には電池パック１の負の外部端子５が、それぞれ接続され、この電池セル２の電極端子と電池パック１の両外部端子４、５間が電池パック１の充放電経路６となる。電池パック１は、外部端子４、５を介して外部の負荷に対する電力の供給を行い、外部からの電池セル２に対する充電が行われる。
【００３０】
また、本実施形態の電池パック１は、電池セル２に過電圧や過電流が加わって電池セル２が破損することを防ぐ電池保護回路３として、電池セル２の一方の電極側（図１の場合は正極側）の充放電経路６にスイッチ回路１２が挿入され、スイッチ制御部１１によってスイッチ回路１２が開閉されて、電池セル２からの出力および電池セル２への充電の電圧／電流が制御される。なお、スイッチ回路１２は、電池セル２の負極側の充放電経路６に配置される場合もある。
【００３１】
電池保護回路３は、さらに、電池電圧検出部１３、電流検出部１４、電池セル２の温度と、電池パック１と充電回路もしくは所定の負荷回路などの他の電気回路や機器との接続を検出する環境検出部１６を備えている。スイッチ制御部１１、電池電圧検出部１３、電流検出部１４、環境検出部１６は、電池保護用ＩＣとして一体化・標準化されたものを用いることができる。また、スイッチ制御部１１、電池電圧検出部１３、電流検出部１４の機能が一体化されたＩＣに、温度検出部を含む環境検出部１６として働くＩＣとを組み合わせて使用することもできる。さらに、環境検出部１６として、外部機器との接続状態であるか否かは監視せず、単に電池セル２の温度のみを監視する構成とされる場合もある。
【００３２】
電池電圧検出部１３は、電池セル２の充放電電圧を監視し、過放電あるいは過充電電圧を検出した場合に、所定の制御信号を生成する。電流検出部７は、図１に示す例では負極側の充放電経路６に挿入された抵抗１５を介して、電池セル２に流れる電流を監視し、過電流を検出した場合に、所定の制御信号を生成する。環境検出部１６は、電池パック１内に配置された図示しないサーミスタなどの温度検出素子を用いて温度を監視し、温度異常を検出した場合に所定の制御信号を生成する。また、図１に示すように、環境検出部１６は、一例として外部端子４、５との間などに配置された接続検出端子７からの信号に基づいて、電池パック１が外部機器と接続された状態であるか否か、また、接続された外部機器が、電池パックを充電する充電回路を備えた充電装置か、または、電池パックから電圧の供給を受けて動作する携帯形電子機器などの負荷回路を備えた電子装置かを判別して、その結果を表す信号を生成する。
【００３３】
電池電圧検出部１３、電流検出部１４、および環境検出部１６が生成する制御信号は、スイッチ制御部１１に供給され、スイッチ制御部１１はその制御信号に基づいてスイッチ回路１２の通電（導通）または非通電（遮断）を制御する。これにより、過充電あるいは過放電、充電電流または放電電流が過大に流れる場合などの異常発生時に充放電経路６を遮断して、電池セル２の保護や発熱等の事故発生の防止が可能となる。また、電池パック１が外部機器に接続されていない状態では、外部端子４、５に電圧が印加されないようにして、電池パック１からの不所望な漏電やスパークの発生などを防ぐことができる。
【００３４】
電池電圧検出部１３、電流検出部１４、および環境検出部１６は、電池セル２あるいはその周辺の状態の異常を検出するための異常検出部の例である。本開示においては、電池電圧検出部１３と、電流検出部１４とが、充電が正常状態で行われているか充電異常状態が生じているかを検出する充電異常検出部に相当する。
【００３５】
なお、本開示の電池パック１の電池保護回路３が備える充電異常検出部は、図１に例示した構成に限られるものではなく、電池電圧検出部１３および電流検出部１４の少なくともいずれか一方を備え、電池セル２への過充電電圧状態および過充電電流状態である充電異常状態の少なくともいずれか一方を検出することができればよい。また、本実施形態の電池保護回路３においては、図１に例示したもの以外の電池パックがおかれた異常状態を検出可能な異常検出部を備えることもできる。
【００３６】
スイッチ回路１２は、一例として過充電保護スイッチ（ＦＥＴ）１２１と過放電保護スイッチ（ＦＥＴ）１２２と、それぞれに付随させたダイオード１２３と１２４とを備え、スイッチ制御部１１からの信号がそれぞれのＦＥＴのゲートに印加されることで動作して、充放電経路６を遮断する。なお、本開示の電池パック１が備える電池保護回路３に使用されるスイッチ回路１２は、図１に示した構成に限られず、スイッチング素子として一つのＦＥＴを用いたもの、ＦＥＴではなくリレー等の他のスイッチング素子を用いたものなど、スイッチ制御部１１からの制御信号に応じて充放電経路６を遮断、導通させて通電状態および非通電状態の制御が可能な各種のスイッチ素子を利用することができる。また、スイッチ回路１２に付属させて、スイッチ回路１１の両端の電圧値を把握することができる素子をさらに備えて、電池セル２の電圧値を詳細に把握しながら充放電をより細かく制御する構成とすることもできる。
【００３７】
本実施形態の電池保護回路３は、さらに、充放電経路６におけるスイッチ回路１２と外部端子４との間の外部電圧を把握する測定端子１７と外部電圧検出部１８とを備えている。
【００３８】
測定端子１７は、充放電経路６上の電圧を測定できる端子であればよいため、充放電経路６上に特定の端子を追加配置して測定端子１７とすることも、スイッチ回路１２の外部端子４側の端子を測定端子１７として兼用することも、外部端子４自体を測定端子１７として兼用することもできる。
【００３９】
外部電圧検出部１８は、測定端子１７の電圧値を検出することができる検出部であり、従来周知の電圧値を検出可能な各種構成を採用することができる。なお、外部電圧とは、スイッチ回路１２がスイッチ制御部１１によって非通電状態となった際の、スイッチ回路１２から外部端子４間の充放電経路６の電位をいう。スイッチ回路１２が非通電状態の場合、スイッチ回路１２と外部端子４との間の充放電経路６の電位は外部端子４の電位と同じ値となり、この電位は、電池パック１に取り付けられた外部機器などの外部の構成や状態に左右される電位であるため、本明細書ではこの電位を外部電圧と称している。
【００４０】
なお、本実施形態にかかる電池パック１の電池保護回路３として、スイッチ回路１２の動作不良を検出して充放電経路６を強制的に切断可能な保護素子と切断制御部など、電池セル２を保護する各種の構成をさらに備える構成を用いることもできる。
【００４１】
次に、本実施形態にかかる電池パックが備えた電池保護回路の、充電異常状態における電池セルの保護動作について説明する。
【００４２】
図２は、電池セルの充電時において、外部機器である充電装置から過充電電圧が印加された過充電状態における、電池保護回路の動作を説明するフローチャートである。
【００４３】
まず、外部機器として外部端子４、５に充電回路を備えた充電装置が接続され、充電が開始される（ステップＳ１０１）。
【００４４】
充電が開始されると電池保護回路３が動作して、電池電圧検出部１３は電池セル２の電池電圧Ｖｂの検出動作を開始する（ステップＳ１０２）。
【００４５】
充電開始と共に電池電圧Ｖｂは上昇するが、電池電圧Ｖｂが過充電状態を判別するための制限電圧値として設定された所定の設定電圧値Ｖ１を上回った（Ｖｂ＞Ｖ１）場合（ステップＳ１０３で「Ｙｅｓ」の場合）、過充電異常状態として電池電圧検出部１３からスイッチ制御部１１へ、過充電異常状態を示す信号が送信される（ステップＳ１０４）。
【００４６】
電池電圧検出部１３からの過充電異常状態を示す信号を受け取ると、スイッチ制御部１１は、スイッチ回路１２をＯＦＦ（非通電）状態とする（ステップＳ１０５）。
【００４７】
なお、ステップＳ１０３で電池電圧Ｖｂが過充電状態を示す所定の設定電圧値Ｖ１以下である「Ｎｏ」の場合には、電池電圧検出部１３は正常状態であるとの信号をスイッチ制御部１１に送信し、引き続き電池電圧Ｖｂの検出を行う。
【００４８】
スイッチ制御部１１は、引き続き電池電圧検出部１３からの信号を受信し、電池電圧Ｖｂが過充電状態を脱して再び充電可能となったことを判別するための充電再開電圧値である第２の所定電圧値Ｖ２よりも低い電圧となった場合（ステップＳ１０６で「Ｙｅｓ」の場合）、外部電圧検出部１８から測定端子１７の電圧である外部電圧Ｖｏの情報を受領する（ステップＳ１０７）。
【００４９】
この状態では、スイッチ回路１２がＯＦＦ状態となっているため、電池セル２と外部端子４とはスイッチ回路１２によって切り離されていて、スイッチ回路１２の外部端子４側の端子から外部端子４までの充放電経路６は、外部端子４に印加されている外部電圧Ｖｏとなっている。
【００５０】
スイッチ制御部１１は、外部電圧検出部１８から受信した外部電圧値Ｖｏが、充電回路から電池パックへと供給される最大充電電圧値Ｖ３よりも高いか否かを判断する（ステップＳ１０８）。
【００５１】
外部電圧値Ｖｏが充電電圧値として許容できる最大充電電圧値Ｖ３よりも高い（Ｖｏ＞Ｖ３）場合（ステップＳ１０８で「Ｙｅｓ」の場合）は、スイッチ回路１２を再びＯＮ（通電）状態としても、電池セル２に所定外の大きな電圧が印加されて電池電圧Ｖｂがすぐに過充電状態を示す設定電圧値Ｖ１を上回る充電異常状態となることが想定される。このため、スイッチ回路制御部１１は、外部電圧値Ｖｏが最大充電電圧値Ｖ３よりも高い（Ｖｏ＞Ｖ３）場合には、スイッチ回路１１をＯＮとして充電を再開する復帰操作を行わない。この場合には、再び、電池電圧Ｖｂが充電再開の基準である第２の設定電圧値Ｖ２よりも低いか否かを確認するステップＳ１０６に戻り、外部電圧Ｖｏの検出と最大充電電圧値Ｖ３との比較を行うステップＳ１０６からステップＳ１０８までのルーチンを繰り返す。
【００５２】
ステップＳ１０８において、「Ｎｏ」すなわち、外部電圧値Ｖｏが充電電圧値として許容できる最大充電電圧値Ｖ３と同じかそれよりも低い（Ｖｏ≦Ｖ３）場合には、充電再開を行うことが好ましいと判断できるため、スイッチ制御部１１は、スイッチ回路１２をＯＮ（通電）状態として（ステップＳ１０９）、充電回路からの充電が再開される。
【００５３】
この場合は、充電時における過充電電圧異常が解消された状態であるため、図２のフローチャートで示す電池保護回路３の電池保護動作が終了する。
【００５４】
なお上記の場合において、電池電圧Ｖｂが過充電状態を判別するための所定の設定電圧値Ｖ１は、再び充電可能となったことを判別するための第２の設定電圧値Ｖ２と、同じかもしくはより高い電圧値として設定される。また、充電電圧値として許容できる最大充電電圧値Ｖ３は、設定電圧値Ｖ１と同じかそれよりも低い値であり、第２の設定電圧値Ｖ２と同じかそれよりも高い値、もしくはＶ２よりも低い値として規定することができる。
【００５５】
一例として、二次電池としてのリチウムイオン電池の仕様が、定格電圧３．７Ｖ、定格電流１５０００ｍＡの場合に、Ｖ１＝４．３Ｖ、Ｖ２＝４．２５Ｖ、Ｖ３＝４．２Ｖと設定することができる。また、Ｖ３を０Ｖに近い値とすることによって、外部端子４、５から充電装置が外されたことを検知することができる。
【００５６】
次に、本実施形態にかかる電池パックが備えた電池保護回路の、充電時に電池パックに流れる電流値が過大となる、充電電流異常状態における電池セルの保護動作について説明する。
【００５７】
図３は、電池セルの充電時において、外部機器である充電装置から電池セルに過大な充電電流が流れた過充電電流異常状態における、電池保護回路の動作を説明するフローチャートである。
【００５８】
まず、外部機器として外部端子に充電回路を備えた充電装置が接続され、充電が開始される（ステップＳ２０１）。
【００５９】
充電が開始されると、電池保護回路３が動作し、電流検出部１４が電池セルに流れる充電電流を充放電経路６に挿入された抵抗１５を介して検出する（ステップＳ２０２）。
【００６０】
充電電流Ｉｂは、大きな変動がないことが好ましいが、充電電流Ｉｂが所定の制限電流値Ｉ１を上回った（Ｉｂ＞Ｉ１）場合（ステップＳ２０３で「Ｙｅｓ」の場合）、過充電電流の充電異常状態として電流検出部１４からスイッチ制御部１１へ、充電異常状態であることを示す信号が送信される（ステップＳ２０４）。
【００６１】
電流検出部１４からの充電異常状態を示す信号を受け取ると、スイッチ制御部１１は、スイッチ回路１２をＯＦＦ（非通電）状態とする（ステップＳ２０５）。
【００６２】
なお、ステップＳ２０３で充電電流Ｉｂが所定の制限電流値Ｉ１以下である「Ｎｏ」の場合には、電流検出部１４は正常状態であるとの信号をスイッチ制御部１１に送信し、引き続き充電電流Ｉｂの検出と制限電流値Ｉ１との比較を行う。
【００６３】
スイッチ回路１２がＯＦＦ状態となったため、電池パック１内部の電池セル２と充放電経路６などに短絡などの異常がなければ、充電電流Ｉｂは「０」となるはずである。このため、スイッチ制御部１１は、引き続き電流検出部１４からの信号を受信し、充電電流Ｉｂが正しく「０」となったか否かを判断する。Ｉｂ＝０の場合、すなわちステップＳ２０６で「Ｙｅｓ」の場合には、過充電電流の異常が解消されたものと判断する。ただし、本実施形態の電池保護回路の場合には、ここですぐに充電を再開せずに、外部電圧検出部１８から測定端子１７の電圧である外部電圧Ｖｏの情報を受領する（ステップＳ２０７）。
【００６４】
スイッチ制御部１１は、外部電圧検出部１８から受信した外部電圧値Ｖｏが、充電電圧値として許容できる最大充電電圧値Ｖ４よりも高いか否かを判断する（ステップＳ２０８）。ここで、スイッチ回路１２がＯＦＦ（非通電）状態となっているため、外部電圧検出部１９が検出する外部電圧Ｖｏは、外部端子４に接続された外部機器としての充電装置の充電回路から印加されている電圧である。
【００６５】
ステップＳ２０８で「Ｙｅｓ」、すなわち、外部電圧値Ｖｏが充電電圧値として許容できる最大充電電圧値Ｖ４よりも高い（Ｖｏ＞Ｖ４）場合は、外部端子４、５に接続されている充電装置の充電回路に何らかの異常が生じているか、電池セル２の仕様にあった正しい充電回路が接続されていない場合と考えられる。この場合に、スイッチ回路１２を再びＯＮ（通電）状態としても、再び過充電電流が流れる可能性が高い。このため、スイッチ回路制御部１１は、外部電圧値Ｖｏが最大充電電圧値Ｖ４よりも高い（Ｖｏ＞Ｖ４）場合には、スイッチ回路１１をＯＮ状態として充電を再開する復帰操作を行わない。この場合には、再び、充電電流Ｉｂが正しくＩｂ＝０となっているか否かを確認するステップＳ２０６に戻り、外部電圧Ｖｏの検出と最大充電電圧値Ｖ４との比較を行うステップＳ２０６からステップＳ２０８までのルーチンを繰り返す。
【００６６】
なお、図３に示す、充電装置から電池セルに過大な充電電流が流れた過充電電流異常状態における電池保護回路の動作の場合は、スイッチ回路１２を再びＯＮ状態に復帰させる判断基準となる最大充電電圧値Ｖ４を、一例として０Ｖと設定した。このように、図２に示した過充電電圧異常状態からの復帰動作と、過充電電流異常状態からの復帰動作とにおいて判断基準となる最大充電電圧値を異ならせることができる。また、図３に示した過充電電流異常状態からの復帰動作における判断基準となる最大充電電圧Ｖ４を、図２に示した過充電異常状態からの復帰動作における判断基準となる最大充電電圧Ｖ３（一例としての４．２Ｖ）と設定することもできる。このように、最大充電電圧値は、それぞれの充電異常状態の発生理由等を踏まえて、適切な復帰動作の判断基準として設けることができる。
【００６７】
ステップＳ２０８において、「Ｎｏ」すなわち、外部電圧値Ｖｏが充電電圧値として許容できる最大充電電圧値Ｖ４と同じかそれよりも低い（Ｖｏ≦Ｖ４）場合には、充電再開を行うことが好ましいと判断できるため、スイッチ制御部１１はスイッチ回路１２をＯＮ（通電）状態として（ステップＳ２０９）、充電回路からの充電が再開される。
【００６８】
この場合は、充電時における過充電電流の充電異常状態が解消された状態であるため、図３のフローチャートで示す電池保護回路３の電池保護動作が終了する。
【００６９】
なお、図３に示した過充電電流状態からの二次電池の保護の動作において、例えば二次電池としてのリチウムイオン電池の仕様が、定格電圧３．７Ｖ、定格電流１５０００ｍＡの場合には、Ｉ１＝１８０００ｍＡと設定することができる。
【００７０】
このように、本実施形態の電池パックが備える電池保護回路では、従来の電池保護回路と同様に、過充電電圧状態、または、過充電電流状態という充電異常状態が生じたときに、スイッチ回路を非通電状態として充電異常状態の解消を図る。しかし、本実施形態の電池保護回路では、過充電電圧状態、または、過充電電流状態が解消された場合に直ちに充電を再開する復帰操作を行わず、外部電圧を検出して外部電圧として印加されている電圧値に異常が無いかを確認する。スイッチ回路が非通電状態となっていることで、充放電経路中の測定端子の電圧から外部端子に接続された外部電圧を正しく検出できることを利用して、充電回路を備えた充電装置からの印加電圧を外部電圧として検出し、これが電池セルを構成する二次電池の充電仕様に合致した最大充電電圧値より高い値である場合には、充電異常の原因が充電回路側にあると判断する。このような不適切な充電回路からの充電を再開すれば、再び電池セルが充電異常状態に陥る可能性が極めて高いため、電池パック内の電池セルにおける充電電圧や充電電流の検出結果から、充電異常状態が解消されたと判断できる場合であっても復帰操作を行わずに、外部電圧から把握される充電回路に異常がないと判断できる場合にのみ復帰操作を行って充電動作を再開させる。
【００７１】
このようにすることで、本開示の電池保護回路では、充電回路に異常がある場合には充電再開を行うことを回避できるため、異常のある充電回路で繰り返し充電動作を行うことで、電池セルや電池保護回路自体に大きな負荷が加わってこれらを破損してしまうという事態を確実に回避することができる。また、この電池保護回路を備えることで、安全性の高い電池パックを実現することができる。
【００７２】
なお、上記実施形態では、過充電電圧状態、過充電電流状態が解消されたときに、外部電圧を測定することで外部端子に接続されている充電回路に異常が無いかを確認した。一方で、仮に充電回路に異常があった場合でも、その充電回路が既に電池パックの外部端子から取り外されていれば、スイッチ回路を通電状態とする復帰操作を行った場合でも電池セルに異常な電圧が加わる事態や、異常な電流が流れる事態が再発することはない。このため、本実施形態の電池保護回路において復帰操作を行って良いと判断する場合の基準として、外部機器の接続の有無の判別、もしくは、接続された外部機器が充電回路を備えた充電装置であるか否かの判別を用いることが考えられる。
【００７３】
図４は、電池セルの充電時において、過充電電圧異常状態、および、過充電電流異常状態の少なくともいずれか一方が生じた場合の電池保護回路による保護動作について、復帰操作を行っても良いとの判断を、外部機器の接続の有無に基づいて行う場合の動作を示すフローチャートである。
【００７４】
まず、外部機器として外部端子４，５に充電回路を備えた充電装置が接続され、充電が開始される（ステップＳ３０１）。
【００７５】
充電が開始されると、電池保護回路３が動作して、電池電圧検出部１３は電池セル２の電池電圧Ｖｂの検出動作を開始する。また、電流検出部１４は、電池セル２を流れる充電電流Ｉｂの検出動作を開始する（ステップＳ３０２）。
【００７６】
充電開始と共に電池電圧Ｖｂは上昇するが、電池電圧Ｖｂが過充電状態を判別するための所定の設定電圧値Ｖ１を上回った（Ｖｂ＞Ｖ１）場合、過充電電圧異常状態として電池電圧検出部１３からスイッチ制御部１１へ、充電異常状態が生じた旨を知らせる信号が送信される。また、充電電流Ｉｂが所定の制限電流値Ｉ１を上回った（Ｉｂ＞Ｉ１）場合、過充電電流の充電異常状態として電流検出部１４からスイッチ制御部１１へ、充電異常状態であることを示す信号が送信される。
【００７７】
電池電圧検出回路１３からスイッチ制御部１１へ充電異常状態を示す信号が送信された場合、および／または、電流検出部１４からスイッチ制御部１１へ充電異常状態を示す信号が送信された場合、すなわち、ステップＳ３０３で「Ｙｅｓ」となり充電異常を伝える信号が送信されたステップＳ３０４の場合、電池電圧検出部１３および／または電流検出部１４からの充電異常状態を示す信号を受け取ると、スイッチ制御部１１は、スイッチ回路１２をＯＦＦ（非通電）状態とする（ステップＳ３０５）。
【００７８】
なお、ステップＳ３０３で電池電圧Ｖｂが過充電状態を示す所定の設定電圧値Ｖ１以下である場合で、かつ、充電電流値Ｉｂが所定の制限電流値Ｉ１以下の場合には、電池電圧検出部１３および電流検出部１４は正常状態であるとの信号をスイッチ制御部１１に送信し、引き続き電池電圧Ｖｂと充電電流Ｉｂの検出と比較とを行う。
【００７９】
スイッチ制御部１１は、電池電圧Ｖｂが過充電状態を脱して再び充電可能となったことを示す第２の所定電圧値Ｖ２よりも低くなった場合、かつ、スイッチ回路が非通電状態となったことに起因して充電電流が正しく「０」となった場合（ステップＳ３０６で「Ｙｅｓ」の場合）、環境検出部１６から外部端子に外部機器である充電回路が接続されているか否かの接続情報を受領する（ステップＳ３０７）。
【００８０】
環境検出部１６から充電回路が接続されている状態を示す信号が送られた場合（ステップＳ３０８の「Ｙｅｓ」の場合）には、過充電異常状態を引き起こした充電装置が引き続き接続されたままであり、充電を再開した場合には、すぐに過充電異常状態に陥ることが想定されると判断できる。このため、スイッチ回路制御部１１は、外部機器として充電回路が接続されているという信号を受信した場合には、スイッチ回路１１をＯＮ（通電状態）として充電を再開する復帰操作を行わない。この場合には、再び、電池電圧Ｖｂが過充電状態を脱して再び充電可能となったことを示す第２の所定電圧値Ｖ２よりも低くなったか否かと、スイッチ回路が非通電状態となったことに起因して充電電流が正しく「０」となったか否かを確認するステップＳ３０６に戻り、さらに外部機器の接続検出を行うステップＳ３０８までのルーチンを繰り返す。
【００８１】
ステップＳ３０８において、「Ｎｏ」すなわち、外部機器としての充電回路が装着されていない場合には、過充電異常状態を引き起こした充電回路は既に取り外されたものと考えられる。この場合には、正しい充電回路が接続された場合にすぐに充電再開が可能となるように、スイッチ制御部１１はスイッチ回路１２をＯＮ（通電）状態として（ステップＳ３０９）充電可能な状態への復帰操作を行う。
【００８２】
この場合は、充電回路によって引き起こされた充電異常状態が解消された状態であると判断できるため、図４のフローチャートで示す電池保護回路３の電池保護動作が終了する。
【００８３】
このように、本実施の形態にかかる電池保護回路では、充電異常状態が生じた際に、外部機器としての充電回路の接続が解除されたか否かを判定し、充電異常状態を引き起こした充電回路が引き続き接続されている場合には、過充電電圧状態の充電異常状態、または、充電電流が過大な充電異常状態が解消した場合でも、充電を再開可能とする復帰操作を行わない。このため、好ましくない充電回路による充電操作が繰り返し行われることを回避して、電池セルや電池保護回路が破損する事態を回避することができる。一方、充電異常状態を引き起こした充電回路が外部端子から外されたことが検出できた場合には、スイッチ回路を通電状態として充電動作を再開可能とする復帰操作を行うことで、電池パックを、その後に適切な充電回路が接続されて充電動作が再開された場合に、直ちに対応できる状態に維持することができる。
【００８４】
なお、図４では、電池保護回路として、充電電圧が過大な場合と充電電流が過大な場合との充電異常状態を同時に把握できる構成を例示して説明したが、いずれか一方のみを検出できる構成とすることができることは言うまでもない。
【００８５】
また、外部機器としての充電回路の接続状態を判断する手法として、環境検出部１６により検出端子７を用いて判断する場合を例示して説明したが、充電回路の接続の有無を検出するための外部機器状態確認部は、環境検出部１６に限られない。例えば、図２、および、図３にフローチャートを示して動作を説明した電池保護回路のように、外部電圧検出部１８によって充放電経路６の外部電圧値を検出できる機構を用いて、外部電圧が「０」であるときに外部端子４、５に充電回路が接続されていないと判断して、スイッチ回路１２の復帰操作を行うか否かを判断することができる。また、接続された外部機器の種別が判別可能な場合には、充電回路が取り外されて他の外部機器が接続されていることを確認できた場合に、スイッチ回路１２の復帰操作を行うように制御することができる。
【００８６】
なお、上記図２〜図４を用いて説明した本開示にかかる電池保護回路の動作説明において、スイッチ制御部がスイッチ回路を非通電状態とした後、まず、電池電圧や充電電流の異常状態が解消されたことを判断し、電池電圧や充電電流の異常状態が解消されたことが確認できた後に、外部電圧や外部機器の接続状態を確認するという動作の流れを説明した。しかし、本開示にかかる電池保護回路における動作はこのような流れのものに限られない。
【００８７】
例えば、スイッチ制御部がスイッチ回路を非通電状態とした後に、まず、外部電圧の測定や外部機器の接続判定を行い、この判定結果から充電回路に異常がない、もしくは、充電回路が取り外されたことを確認してから、電池電圧や充電電流の異常状態が解消されたか否かを確認する流れを採用することができる。また、電池電圧や充電電流の異常状態が解消されたか否かと、外部電圧の測定や外部機器の接続判定とを同時に行うようにしてもかまわない。いずれの場合においても、電池電圧や充電電流の異常状態が解消された場合であって、かつ、外部電圧の測定や外部機器の接続判定から充電回路により充電異常状態が再び引き起こされるおそれがないと判断できる場合であるときに、スイッチ回路の復帰操作を行うことで、本開示にかかる電池保護回路、およびこの電池保護回路を備えた電池パックとしての効果を奏することができる。
【００８８】
また、上記実施形態では、充電電圧が過大な充電異常状態の場合と、充電電流が過大な充電異常状態の場合と、外部端子に充電回路が接続されていることを検出して復帰操作を行う場合とを図２、図３、図４を用いてそれぞれ別々に説明したが、これらの複数の構成を同時に備えた電池保護回路が実現できることは言うまでもない。
【００８９】
またその他にも、本開示の電池保護回路や電池パックは、二次電池セルの充電状況に応じて充電電圧を制御する機能を電池パックが備える構成や、残容量や電池パック自体の状態の正常／異常の別などをユーザに知らせることができる表示部を備えた構成など、電池パックが備えることができる各種の構成を備えた電池保護回路、または、電池パックとして実現することができる。
【００９０】
さらに、上記実施形態の説明において、電池セルを構成する二次電池としてリチウムイオン電池が用いられることを例示した。しかし、本開示の電池パックに用いられる電池セルを構成する二次電池は、リチウム電池に限られないことは言うまでもなく、所定の電圧により充放電が可能なイオン電池などの各種の二次電池を用いることができる。また、二次電池の特性に対応して、異常検知部が検知する異常状態の検知対象が上記例示のものと異なる場合もある。
【産業上の利用可能性】
【００９１】
本開示の電池保護回路は、充電回路に起因する充電異常状態が再発する可能性が無いことが確認できた場合にのみ充電動作が可能なようにする復帰操作を行うことで、充電再開時に再び充電異常状態となることを防止できるものである。このため、電池パックや電池保護回路自体を確実に保護することができる。
【００９２】
また、本開示の電池パックは、充電異常状態のいたずらな再発を防止することができる高い安全性を実現した電池パックとして、電動バイク等の産業用に用いられる電池パックを中心に各分野において使用される電池パックとして有用である。
【符号の説明】
【００９３】
１      電池パック
２      電池セル
３      電池保護回路
４、５  外部端子
６      充放電経路
１１    スイッチ制御部
１２    スイッチ回路
１３    電池電圧検出部（充電異常検知部）
１４    電流検知部（充電異常検知部）
１６    環境検知部（充電回路確認部）
１８    外部電圧検知部（充電回路確認部）
【図１】
2015173568.tif 000003
【図２】
2015173568.tif 000004
【図３】
2015173568.tif 000005
【図４】
2015173568.tif 000006